(57)【要約】      （修正有）【課題】海底、船舶より陸上の目的地へ、バイパスノズルセットにて、搬送物の鉱物、海産物、穀物等を変質、変形、損傷を軽微な状態で、連続、効率、迅速、大量に搬送する設備を提供する。【解決手段】搬送管１に、複数装着するポンプ２又はフアン２に、バイパスノズル吸引管３と、バイパスノズル吐出管４を接続し、バイパスノズル吸引口と、バイパスノズル吐出口を搬送管１内に挿入し組込み、搬送管１内に流量と圧力を生成し、その流量と圧力を検出器７，８、９，１０にて検出し、搬送物に適合するように、制御器で調整して、搬送物の変質、変形、損傷を軽微にする、バイパスノズルセットを多数連結した、バイパスノズルセット多段式搬送装置。【選択図】図１
0003184681.tif 000002
【実用新案登録請求の範囲】
【請求項１】
搬送管１に、複数装着するポンプ２又はフアン２に、バイパスノズル吸引管３とバイパスノズル吐出管４を接続し、バイパスノズル吸引口５と、バイパスノズル吐出口６を搬送管１内に挿入し組込み、搬送管１内に流量と圧力を生成し、その流量と圧力を検出器７，８、９，１０にて検出し、搬送物に適合するように、制御器１１で調整して、搬送物の変質、変形、損傷を軽微にする、バイパスノズルセッ トを多数連結した、バイパスノズルセット多段式搬送装置。
【考案の詳細な説明】
【技術分野】
【０００１】
本考案は、バイパスノズルセットで、搬送物を海底、船舶より陸上の目的地へ
連続、効率、迅速、大量に搬送する手段と、搬送物の変質、変形、損傷を軽微に
関するものである。
【背景技術】
【０００２】
従来、搬送装置として、例えば搬入側コンテナと、搬出側コンテナとホースで連結し、搬出側コンテナに、吸引装置を設け、吸引装置で発生した吸引力で、搬入側コンテナに収容された流体を、搬出側コンテナに搬送する、搬送装置が提案されている  (特許文献１)。
【先行技術文献】
【特許文献】
【０００３】
【特許文献１】特開２００６-８４４０８号公報
【考案の概要】
【考案が解決しようとする課題】
【０００４】
搬送物を船舶からの陸上の目的地への輸送は、バケットクレーン、トラッククレーン、ベルトコンベア、大型トラック等の重機を使用するので、岸壁の強度と広さが必要で、更に準備、撤去に多額な費用と時間を要する問題がある。
東日本の震災で被害を受けた岸壁の保修が、従来同様に出来ない場所は、船舶の接岸と重機の使用が困難で、漁業の再開は見送られている箇所がある。
【０００５】
従来の搬送方法は、搬送物に変質、変形、損傷を与えるダメージが大きく、特に軟体の魚類は致命的である。
【０００６】
海底のメタンハイドレートの扱いに、圧縮力や浮遊力を与えると、損壊又はガス化し易く連続、効率的な採取方法は見あたらない。
【０００７】
海底のレアアースの採取は、段階的には可能と考えられるが、連続、効率的な採取方法は見あたらない。  
【０００８】
鉱物、海産物、穀物等を、船舶より目的地へ搬送する、方法ルートは、設備、機能上固定化され、臨機応変の対応が困難である。
【課題を解決するための手段】
【０００９】
搬送管１に、複数装着するポンプ２又はフアン２に、バイパスノズル吸引管３とバイパスノズル吐出管４を接続し、バイパスノズル吸引口５とバイパスノズル吐出口６を搬送管１内に挿入し組込み、搬送管１内に流量と圧力を生成し、その流量と圧力を検出器７，８、９，１０にて検出し、搬送物に適合するように、  制御器１１で調整して搬送物の変質、変形、損傷を軽微にする、バイパスノズルセットを多数連結した、バイパスノズルセット多段式搬送装置。
【考案の効果】
【００１０】
従来 困難と思われる鉱物、海産物、穀物等を、海底、船舶より、陸上の目的地へ、バイパスノズルセットで、連続、効率、迅速、大量に搬送可能となり、しかも流量、圧力を調整して変質、変形、損傷を軽微にする搬送装置を提供する。
【図面の簡単な説明】
【００１１】
【図１】本考案のバイパスノズルセットを示した側面図である。
【図２】本考案のバイパスノズルセットを示した正面図である。
【図３】本考案のバイパスノズルセットを示した断面図である。
【図４】本考案の搬送管内の流量、圧力を制御する系統図である。
【考案を実施するための形態】
【００１２】
以下、図１から図４を参照して、本考案に係る実施形態である、バイパスノズルセット多段式搬送装置１００について説明する。
バイパスノズルセット多段式搬送装置１００は、搬送管１に、複数装着するポンプ２又はフアン２に、バイパスノズル吸引管３とバイパスノズル吐出管４を接続し、バイパスノズル吸引口５とバイパスノズル吐出口６を、搬送管１内に挿入し組込み、搬送管１内に流量と圧力を生成し、その流量と圧力を検出器７，８、９，１０で検出し、搬送物に適合するように、制御器１１で調整して、搬送物の変質、変形、損傷を軽微  にする、バイパスノズルセットを多数連結した装置である。
【００１３】
搬送管１は、円筒形とし太さ、長さ、部材(炭素繊維、軽金属、鉄、樹脂等)は、搬送物と使用条件により選定する。
付帯事項として逆流を防止に、特定の搬送管１内に逆止弁を取付け、又搬送物によっては、搬送管１内にライニングとクッション処理を考慮する。
【００１４】
搬送管１に、複数装着するポンプ２又はフアン２は、搬送物及び搬送条件に適合した、材質(セミラック、金属、強化樹脂等)及び形状(スクリュー、スパイラル、ターボ等)を選定し、特に渦巻、波動等により、搬送物に変質、変形、損傷を与えない構造とする。
【００１５】
バイパスノズル吸引管３とバイパスノズル吐出管４は、ポンプ２又はフアン２に接続し、バイパスノズル吸引口５とバイパスノズル吐出口６を、搬送管１内に挿入し組込むが、材質(セミラック、金属、強化樹脂等)及び形状は円筒形とし流れに渦巻、波動等により、搬送物に変質、変形、損傷を与えない構造する。
【００１６】
バイパスノズル吸引口５の先端に付けるストレーナーは、搬送物に適合した形状とし、溝の幅と形、長さと、脹らみを付けるなど工夫し、異物の滞留を防ぎ、目詰りを軽減し、耐摩耗性の金属を採用して、性能の維持向上を図る。
【００１７】
制御器１１は、搬送管１の流量と圧力を検出器７，８，９，１０で検出し、ポンプ２又はフアン２の運転を制御して、バイパスノズル吸引管３とバイパスノズル吐出管４の流量と圧力をソフトに調整し、搬送物を流れに乗せて、搬送物の変質、変形、損傷を軽微にする。
【００１８】
モーター及び電気品の浸水防止対策は、絶縁デップ処理及び絶縁接着シール剤等にて包込む、ケーブルの接続は、コネクター１２にて行い強度と機密性を保つ。
【産業上の利用可能性】
【００１９】
本考案は、軽量で面積も取らず、４トントラッククレーン等作業車の重量対策と、準備、撤去の広場があれば良く、護岸設備の簡略化が可能で、多額な経費節減になると共に、東日本の震災で被害を受けた岸壁の保修が、従来同様に不可能な場所でも、本条件が成立すれば、漁業の再開は可能性ある。
【００２０】
本考案は、流量、圧力を制御器１１で調整して、搬送物に変質、変形、損傷を軽微にし、連続、効率、迅速、大量に搬送可能であり、又装置の準備、撤去は短時間で出来る特徴を活かし、鉱物、海産物、穀物等を、海底、船舶より 陸上の目的地へ搬送する事業に貢献することが出来る。
【００２１】
本考案は、船舶の位置、陸上の目的地の計画急変の対応が、素早く可能である理由は、軽量で構成機材が少なく作業性が良い構造である。
【００２２】
本考案の特徴から、海底のメタンハイドレート及びレアアース採取は、バイパスノズルセットを多数連結し、又電気品等の防水処理を行い、吸上方法を直線ルート方式にすると負担が大きい場合は、ジグザグ又はスパイラル方式にして負担の軽減を図り、更にモーターの出力を選定する事により、可能性はある。         
【００２３】
魚類を漁船及び漁網から直接専用運搬車に搬送して、市場に運搬して販売すれば活魚としての付加価値が高まり収益が増大する。
【００２４】
メタンハイドレート及びレアアース等を採取により、国益の増大に貢献したい。
【符号の説明】
【００２５】
１  搬送管
２  ポンプ又はフアン
３  バイパスノズル吸引管
４  バイパスノズル吐出管
５  バイパスノズル吸引口、ストレーナー付き
６  バイパスノズル吐出口
７  流量検出器 (Q1)
８  流量検出器 (Q2)
９   圧力検出器（P1）
１０  圧力検出器（P2）
１１  制御器
１２  ケーブルコネクター
１３  フランジ
１００  バイパスノズルセット多段式搬送装置
【図１】
0003184681.tif 000003
【図２】
0003184681.tif 000004
【図３】
0003184681.tif 000005
【図４】
0003184681.tif 000006